(57)【特許請求の範囲】
【請求項１】
建屋に設けられたエレベータ出入口構成用のフレームに、エレベータの保守点検時に用いられる制御盤およびこの制御盤の前面側を開閉するパネル扉が設けられたエレベータの制御盤開閉装置において、
パネル扉は一側縁部がヒンジを介して回動自在に枢支された回動式に構成され、このパネル扉の前記ヒンジの反対側の側縁部の上下部分をそれぞれ係止してパネル扉を施錠する二つのそれぞれ独立して動作する施錠機構が設けられ、そのいずれか一方の施錠機構が、パネル扉が開放から閉合するときの動作で自動的にそのパネル扉を施錠する自動施錠構造に構成されていることを特徴とするエレベータの制御盤開閉装置。
【請求項２】
請求項１に記載のエレベータの制御盤開閉装置において、パネル扉をその閉合方向に弾性的に付勢して、開放されたパネル扉を自動的に閉合させる自動閉合手段が設けられていることを特徴とするエレベータの制御盤開閉装置。
【請求項３】
請求項１または２に記載のエレベータの制御盤開閉装置において、各施錠機構はパネル扉の内部に設けられ、その各施錠機構の鍵穴がパネル扉の側面に露出していることを特徴とするエレベータの制御盤開閉装置。
【請求項４】
請求項３に記載のエレベータの制御盤開閉装置において、各施錠機構はパネル扉の厚さの寸法よりも小さい形状となっていることを特徴とするエレベータの制御盤開閉装置。
【請求項５】
請求項１ないし４のうちのいずれか１つに記載のエレベータの制御盤開閉装置において、各施錠機構は、パネル扉が開放から閉合するときの動作で自動的にそのパネル扉を施錠する自動施錠構造と、手動によりパネル扉を施錠する手動施錠構造とに選択的に切り換えることが可能に構成されていることを特徴とするエレベータの制御盤開閉装置。
【請求項６】
請求項１ないし５のうちのいずれか１つに記載のエレベータの制御盤開閉装置において、施錠機構は電磁手段で動作させることが可能な構造に構成されていることを特徴とするエレベータの制御盤開閉装置。
【請求項７】
請求項３に記載のエレベータの制御盤開閉装置において、施錠機構は鍵の操作で進退動作するロックピンを有し、フレームにはロックピンの進出動作でそのロックピンと係脱可能に係合する専用の係合部材が設けられていることを特徴とするエレベータの制御盤開閉装置。
【請求項８】
請求項１ないし７に記載のエレベータの制御盤開閉装置において、施錠機構は鍵の操作で進退動作するロックピンを有し、このロックピンの先端の端面が斜めに傾斜する傾斜面として切欠されているととともに、このロックピンの傾斜面の向きが変換可能な構造に構成されていることを特徴とするエレベータの制御盤開閉装置。
【発明の詳細な説明】
【０００１】
【発明の属する技術分野】
この発明は、エレベータの保守点検時に用いられる制御盤の前面側を開閉するエレベータの制御盤開閉装置に関する。
【０００２】
【従来の技術】
従来一般のエレベータにおいては、乗りかごが昇降する建屋の昇降路の上端部に機械室が設けられ、この機械室内に乗りかごを昇降動作させる巻上機が設けられ、さらにその機械室内に保守点検時にエレベータを制御するための制御盤が配設されている。
【０００３】
ところが、昇降路の上端部に機械室が配置する構造においては、その機械室により建屋の高さが高くなり、日照権や建屋の建築容積等の点で不利となり、このため近年においては、昇降路の上端部に機械室を設置せず、昇降路内の空間の一部を利用して巻上機や制御盤を設置するようになってきている。
【０００４】
エレベータが設置される建屋の各フロアーには、乗りかごに対する出入口を構成する三方枠が設けられているが、機械室を排除したタイプのエレベータにおいては、その例えば最上階のホールの三方枠の内側に保守点検時にエレベータを制御するための制御盤が設けられ、三方枠の内側前面にその制御盤の前面側を開閉する回動式のパネル扉が設けられ、このパネル扉に対して施錠機構が設けられている。そして保守点検時に保守作業員が施錠機構を開錠し、パネル扉を開いて操作盤を操作するようにしている。
【０００５】
【発明が解決しようとする課題】
エレベータホールに設けられ三方枠は２ｍを超えるような高さ寸法を有し、したがってこの三方枠の内側に設けられるパネル扉も上下のスパン寸法が大きい縦長の形状となっている。ところが、従来においては、ただ単にこのパネル扉の一箇所の部分を施錠機構で施錠して係止しているに過ぎない。
【０００６】
施錠機構はパネル扉の開放を阻止する機能と同時にパネル扉を機械的に係止して支持する機能を担っているが、パネル扉の一箇所の部分に施錠機構が設けられているに過ぎない従来の構成では、パネル扉が施錠状態のまま無理やりに開放操作されたり乱暴に扱われたような場合に、パネル扉の上下部間で歪みや変形が生じてしまう。
【０００７】
この発明はこのような点に着目してなされたもので、その目的とするところは、パネル扉が施錠状態のまま無理やりに開放操作されたり乱暴に扱われるようなことがあっても、パネル扉が歪んだり変形するようなことがないエレベータの制御盤開閉装置を提供することにある。
【０００８】
【課題を解決するための手段】
請求項１に記載の発明は、建屋に設けられたエレベータ出入口構成用のフレームに、エレベータの保守点検時に用いられる制御盤およびこの制御盤の前面側を開閉するパネル扉が設けられたエレベータの制御盤開閉装置において、パネル扉は一側縁部がヒンジを介して回動自在に枢支された回動式に構成され、このパネル扉の前記ヒンジの反対側の側縁部の上下部分をそれぞれ係止してパネル扉を施錠する二つのそれぞれ独立して動作する施錠機構が設けられ、そのいずれか一方の施錠機構が、パネル扉が開放から閉合するときの動作で自動的にそのパネル扉を施錠する自動施錠構造に構成されていることを特徴としている。
【０００９】
請求項２に記載の発明は、請求項１に記載の発明においてパネル扉をその閉合方向に弾性的に付勢して、開放されたパネル扉を自動的に閉合させる自動閉合手段が設けられていることを特徴としている。
【００１０】
請求項３に記載の発明は、請求項１または２に記載の発明において、各施錠機構はパネル扉の内部に設けられ、その各施錠機構の鍵穴がパネル扉の側面に露出していることを特徴としている。
【００１１】
請求項４に記載の発明は、請求項３に記載の発明において、各施錠機構はパネル扉の厚さの寸法よりも小さい形状となっていることを特徴としている。
請求項５に記載の発明は、請求項１ないし４のうちのいずれか１つに記載の発明において、各施錠機構は、パネル扉が開放から閉合するときの動作で自動的にそのパネル扉を施錠する自動施錠構造と、手動によりパネル扉を施錠する手動施錠構造とに選択的に切り換えることが可能に構成されていることを特徴としている。
【００１２】
請求項６に記載の発明は、請求項１ないし５のうちのいずれか１つの発明において、施錠機構は電磁手段で動作させることが可能な構造に構成されていることを特徴としている。
【００１３】
請求項７に記載の発明は、請求項３に記載の発明において、施錠機構は鍵の操作で進退動作するロックピンを有し、フレームにはロックピンの進出動作でそのロックピンと係脱可能に係合する専用の係合部材が設けられていることを特徴としている。
【００１４】
請求項８に記載の発明は、請求項１ないし７のいずれか１つに記載の発明において、施錠機構は鍵の操作で進退動作するロックピンを有し、このロックピンの先端の端面が斜めに傾斜する傾斜面として切欠されているととともに、このロックピンの傾斜面の向きが変換可能な構造に構成されていることを特徴としている。
【００１６】
【発明の実施の形態】
以下、この発明の実施の形態について図面を参照して説明する。図１および図２には建屋のエレベータホールに設けられたエレベータ出入口構成用のフレームとしての三方枠１を示してあり、この三方枠１は天井梁２と、この天井梁２の両端部からその下方に延びる一対の側部梁３，４とで門形状に構成されているとともに、その一方の側部梁３の下端部に横梁５が一体的に設けられている。
【００１７】
そして、一方の側部梁３の内側にパネル扉６が設けられ、このパネル扉６の背部側の空間が制御盤配設部７となっており、この制御盤配設部７にエレベータを制御するための制御盤８が設置されている。
【００１８】
パネル扉６は三方枠１の天井梁２と横梁５との間に配置し、このパネル扉６の一側縁部がヒンジ１０を介して回動自在に枢支され、このヒンジ１０を支点とするパネル扉６の回動動作で前記制御盤８の前面側が開閉されるものである。そしてこのパネル扉６と三方枠１の他方の側部梁４との間の空間がエレベータの乗りかごに対する出入口１１となっており、この出入口１１の背部側に出入口戸１２，１３が設けられている。
【００１９】
パネル扉６の背面と天井梁２との間には、図１および図３に示すように、パネル扉６を自動的に閉合させる自動閉合手段としての引張りばね１４が取り付けられ、この引張りばね１４によりパネル扉６が閉合方向に弾性的に付勢されている。また、パネル扉６における前記ヒンジ１０の反対側の側縁部つまり自由側の側縁部にはその上下部に離れてそれぞれ施錠機構１５，１６が設けられている。これら施錠機構１５，１６は、パネル扉６の厚さの寸法よりも小さな形状となっている。
【００２０】
これら施錠機構１５，１６は、図４〜図６に示すように、コ字状のフレーム１７と、このフレーム１７の内側に設けられたロッド１８およびこのロッド１８に連結されたロックピン１９と、フレーム１７に取り付けられた鍵穴２０を有するキーボディ２１と、このキーボディ２１の鍵穴２０内に挿入される鍵の操作により前記ロッド１８およびロックピン１９をその軸方向に進退動作させる連動部材２３とで構成されている。
【００２１】
ロックピン１９はフレーム１７の一側部からその外方に突出しているとともに、その突出先端側の端面が一方向に傾斜する傾斜面１９ａとしてカットされている。またロックピン１９の他方側の端部は、図７に示すように、小径軸部１９ｂとなっており、この小径軸部１９ｂに貫通孔２４が形成されている。
【００２２】
そして小径軸部１９ｂはロッド１８に形成された嵌合孔１８ａ内に遊挿されているとともに、ロッド１８の外部から前記小径軸部１９ｂにおける貫通孔２４を挿通するように連結ピン２５が挿脱可能に挿入され、この連結ピン２５によりロッド１８とロックピン１９とが互いに連結されている。
【００２３】
連結ピン２５の一端側の端部はフレーム１７の前面に形成された長孔状のガイド孔２６内に遊合されている。そしてこの連結ピン２５を抜き取り、ロックピン１９をその軸回り方向に１８０°回動して再び貫通孔２４に連結ピン２５を挿入することにより、ロックピン１９の先端の傾斜面１９ａの向きを反転させることができるようになっている。
【００２４】
パネル扉６は、ヒンジ１０の反対側の側縁にその背部側に折曲する側板６ａを有しており、この側板６ａの内側に前記施錠機構１５，１６が設けられている。パネル扉６の上部側に設けられた一方の施錠機構１５の取付構造を図８〜図１０に、他方の施錠機構１６の取付構造を図１１〜図１３にそれぞれ示してある。
【００２５】
一方の施錠機構１５は、フレーム１７が側板６ａの内面に接合し、キーボディ２１の端面が側板６ａを貫通してそのキーボディ２１の鍵穴２０が側板６ａの外面に露出し、またロックピン１９の突出方向が上方を向き、かつその先端の傾斜面１９ａが三方枠１の奥方側を向くように取り付けられている。そして三方枠１の天井梁２の下面に、その三方枠１とは別部材である専用のＬ状をなす係合部材３０が取り付けられ、係合部材３０にロックピン１９が係脱可能に係合するようになっている。
【００２６】
他方の施錠機構１６は、フレーム１７が側板６ａの内面に接合し、キーボディ２１の端面が側板６ａを貫通してその鍵穴２０が側板６ａの外面に露出し、またロックピン１９の突出方向が下方を向き、かつその先端の傾斜面１９ａが三方枠１の奥方側を向くように取り付けられている。そしてパネル扉６の下方に設けられた横梁５の上面に、その横梁５とは別部材である専用のＬ状をなす係合部材３１が取り付けられ、この係合部材３０にロックピン１９が係脱可能に係合するようになっている。
【００２７】
ところで、パネル扉６の上部に配置する一方の施錠機構１５と、パネル扉６の下部に配置する他方の施錠機構１７とでは、その取付姿勢が上下反転し、したがってロックピン１９の傾斜面１９ａの向きが前後に反転する関係となるが、前述したようにロックピン１９は連結ピン２５の抜き取りにより１８０°回動してその傾斜面１９ａの向きを逆方向に変換することができる構成であるから、この操作により一方の施錠機構１５におけるロックピン１９の傾斜面１９ａと、他方の施錠機構１６におけるロックピン１９の傾斜面１９ａとを同一の方向、すなわち三方枠１の奥方側に向けることができ、したがって一方と他方の施錠機構１５，１６を共通化して用いることができる。
【００２８】
各施錠機構１５，１６の施錠状態のもとでは、ロックピン１９が係合部材３０の内側に係合しており、この施錠状態から鍵穴２０内に鍵を差し込み、この鍵を一方向に回動して開錠操作を行なうと、ロックピン１９が所定のストロークだけ後退移動して係合部材３０から外れ、開錠状態となってこれが維持され、またこの開錠状態から前記鍵を逆方向に回動して施錠操作を行なうとロックピン１９が所定のストロークだけ進出移動して係合部材３０に係合し、再び施錠状態が保持されるようになっている。
【００２９】
ここで特に、例えばパネル扉６の上部側に設けられた一方の施錠機構１５においては、図５に示すように、ロッド１８の外周にコイルばね３１が設けられ、このコイルばね３１によりロックピン１９が常時その進出方向に弾性的に付勢されている。そして、鍵による施錠操作でロックピン１９が所定のストロークだけ進出している状態のもとで、そのロックピン１９に傾斜面１９ｂを介して押込み力が作用したときには、鍵の動作とは関係なく独立してロックピン１９が前記コイルばね３１に抗して後退移動し、その押込み力の解除に伴ってロックピン１９が前記コイルばね３１の付勢力で再び所定のストロークだけ進出移動する自動施錠構造となっている。
【００３０】
次に、この発明の作用について説明する。
通常時には、パネル扉６は各施錠機構１５，１６により施錠されている。この施錠状態においては、パネル扉６のヒンジ１０の反対側の側縁部が両施錠機構１５，１６によりその互いに離間した上下の二点で安定して支持されており、したがってパネル扉６を無理やりに開放しようとしたり、乱暴に扱われるようなことがあっても、パネル扉６が歪んだり変形するようなことがない。
【００３１】
更には、狭い昇降路内に制御盤を配置する機械室のないエレベータにあっては、機器や部品のためパネル扉６の内側の空間を有効に利用することができる。
また、各施錠機構１５，１６の鍵穴２０はパネル扉６の側面に露出しているものであり、したがってパネル扉６の正面側からはその鍵穴が視界に入らず、このためエレベータホールからパネル扉６の正面を見たときにその正面が視覚的にすっきりとし、良好な外観を保つことができる。
【００３２】
一方、エレベータの保守点検の際には、まず作業員が各施錠機構１５，１６の鍵穴２０にそれぞれ鍵を差し込み、これら鍵を回動して開錠操作を行なう。この開錠操作により各施錠機構１５，１６のロックピン１９が係合部材３０との係合位置から後退移動してその係合が外れ、それぞれ開錠状態となる。
【００３３】
したがって、この状態のもとでパネル扉６を引張りばね１４に抗してエレベータホールの手前側に引くことによりパネル扉６を開くことができる。そして開いたパネル扉６は例えば作業員の手や体で押えてその開放状態を維持し、この状態で三方枠１の内側の制御盤８を操作する。
【００３４】
制御盤８の操作後には、パネル扉６の開放状態のもとで、自動施錠構造に構成されている一方の施錠機構１５を鍵を介して施錠状態に操作する。この操作により一方の施錠機構１５のロックピン１９が施錠位置に進出移動する。なお、この操作は、パネル扉６を開放した直後の時点で行なってもよい。
【００３５】
この後、開放されているパネル扉６から手や体を離すと、パネル扉６が引張りばね１４による付勢力で自動的に閉合方向に回動する。そしてこの際、一方の施錠機構１５のロックピン１９が施錠位置に進出移動しているから、パネル扉６の閉合方向の回動に伴い、そのロックピン１９の先端の傾斜面１９ａが係合部材３０の縁に当って一時的にロックピン１９がコイルばね３１に抗して後退し、ロックピン１９が係合部材３０の縁を乗り越えたときに再びロックピン１９がコイルばね３１の付勢力で進出移動してこのロックピン１９が係合部材３１の内側に係合し、この係合でパネル扉６が自動的に施錠される。この際、他方の施錠機構１６においては、ロックピン１９が後退位置に保持されており、したがってパネル扉６が自動的に閉合しても開錠状態のまま保持される。
【００３６】
エレベータの保守点検の際には、その作業中に幾度となく制御盤８を操作することが必要となるが、その作業中を通じて常時パネル扉６が開放されていると、保守作業員以外の第三者が故意にあるいは誤って制御盤８を操作して不測の事態を招く恐れがあり、したがってパネル扉６は保守作業員が制御盤８を操作するとき以外は、常に閉合状態に保持することが安全管理上好ましい。
【００３７】
この発明においては、上述のように、制御盤８の操作後には、パネル扉６が自動閉合手段としての引張りばね１４の付勢力で自動的に閉合し、かつ一方の施錠機構１５により自動的に施錠される。したがって、保守作業員が制御盤８を操作するとき以外は、常にパネル扉６を閉合状態に保持して安全に管理することができる。
【００３８】
そしてパネル扉６が引張りばね１４の付勢力で自動的に閉合するからその閉め忘れを確実に防止でき、また自動閉合したパネル扉１６が一方の施錠機構１５により自動的に施錠されるから、パネル扉６が第三者によって不用意に開放されるようなこともなく、より安全性が増す。
【００３９】
保守点検の作業の途中に、作業員が再びパネル扉６を開いて制御盤８を操作するときには、施錠されている一方の施錠機構１５を鍵で開錠操作してパネル扉６を開く。この際、他方の施錠機構１６は開錠状態に保持されているから、この他方の施錠機構１６に対する開放操作は不要で、一方の施錠機構１５に対してのみ開錠操作を行なえばよく、よって作業性が向上する。
【００４０】
保守点検のすべての作業が完了し、最終的にパネル扉６を施錠するときには、一方の施錠機構１５はパネル扉６の自動閉合に伴う自動施錠動作で施錠状態となるから、他方の施錠機構１６を鍵を用いて施錠操作するのみで、パネル扉６を各施錠機構１５，１６で確実に施錠することができる。
【００４１】
ところで、各施錠機構１５，１６のロックピン１９が天井梁２の下面や横梁５の上面に直接面一に形成される係合部に係合するものであるとすると、パネル扉６の開閉動作時にロックピン１９の先端がその天井梁２の下面や横梁５の上面に接触して傷つけてしまう恐れがあるが、この発明では天井梁２の下面および横梁５の上面にその面から突出するように専用の係合部材３０を設け、この係合部材３０にロックピン１９を係合させるようにしてあるから、パネル扉６の開閉動作時にロックピン１９の先端が天井梁２の下面や横梁５の上面に接触するようなことがなく、したがってその天井梁２の下面や横梁５の上面に対する傷つきを防止することができる。
【００４２】
なお、この発明は前記実施形態に限るものではなく、例えば二つの施錠機構１５，１６を、パネル扉６が開放から閉合するときの動作で自動的にそのパネル扉６を施錠する自動施錠構造と、手動によりパネル扉６を施錠する手動施錠構造とに選択的に切り換えることが可能な構成としたり、あるいは各施錠機構１５，１６として、ソレノイド等を用いる電磁手段で動作させることが可能な構造のものを採用するようなことも可能である。
【００４３】
また、施錠機構１５，１６は、パネル扉６に設ける場合に限らず、パネル扉６を支持する三方枠１側に設けてパネル扉６を施錠するような場合であってもよい。この場合には、パネル扉６内に施錠機構を配置しないから、その分、パネル扉６の内部に余裕のスペースが生じ、このためそのスペース部分に制御盤８の前面の機器や部品類が配置するように構成してパネル扉６の内側の空間を有効に利用することが可能となる。
【００４４】
そして、パネル扉６の内側の空間を有効に利用することのみを目的とするときには、施錠機構を複数用いる場合に限らず、一つの施錠機構を用い、その施錠機構をパネル扉を支持する三方枠１側に設けてパネル扉６を施錠するような構成とすることも可能である。
【００４５】
【発明の効果】
請求項１〜８に記載の発明によれば、パネル扉が施錠状態のまま無理やりに開放操作されたり乱暴に扱われるようなことがあっても、パネル扉が歪んだり変形するようなことがなく、またパネル扉の施錠や開錠の操作を容易に能率よく行なえ、かつエレベータの保守点検の作業時にパネル扉が第三者によって不用意に開放されるような不都合を防止することができる。
【００４６】
そして特に、請求項２に記載の発明によれば、パネル扉の閉め忘れを確実に防止することができ、請求項３に記載の発明によれば、パネル扉を正面から見たときの外観を良好に保て、請求項７の発明によれば、エレベータ出入口構成用のフレームに対する傷つきを防止することができる。
【図面の簡単な説明】
【図１】この発明の一実施形態を示す正面図。
【図２】同じく斜視図。
【図３】パネル扉の自動閉合手段を示す平面図。
【図４】施錠機構の正面図。
【図５】施錠機構の側面図。
【図６】施錠機構の平面図。
【図７】施錠機構の一部の断面図。
【図８】パネル扉の上部側に対する施錠機構の取付構造を示す正面図。
【図９】パネル扉の上部側に対する施錠機構の取付構造を示す側面図。
【図１０】パネル扉の上部側に対する施錠機構の取付構造を示す平面図。
【図１１】パネル扉の下部側に対する施錠機構の取付構造を示す正面図。
【図１２】パネル扉の下部側に対する施錠機構の取付構造を示す側面図。
【図１３】パネル扉の下部側に対する施錠機構の取付構造を示す平面図。
【符号の説明】
１…三方枠（フレーム）
６…パネル扉
８…制御盤
１１…ヒンジ
１４…引張りばね（自動閉合手段）
１５…施錠機構
１６…施錠機構
１９…ロックピン
２０…鍵穴
３０…係合部材
【図１】
0004130020.tif 000002
【図２】
0004130020.tif 000003
【図３】
0004130020.tif 000004
【図４】
0004130020.tif 000005
【図５】
0004130020.tif 000006
【図６】
0004130020.tif 000007
【図７】
0004130020.tif 000008
【図８】
0004130020.tif 000009
【図９】
0004130020.tif 000010
【図１０】
0004130020.tif 000011
【図１１】
0004130020.tif 000012
【図１２】
0004130020.tif 000013
【図１３】
0004130020.tif 000014